(57)【要約】【課題】  搭乗した乳幼児が車体から転落するのを防止する乗用玩具を提供することを目的とする。【解決手段】  ハンドル３のステアリング環体４に着脱自在に被装されるハンドルカバー体１を備える。かつ、ハンドルカバー体１の左右両端部に係止受部６を有する突部５，５を具備する。さらに、車体10の座部11よりも上方位置に左右転落防止用の手摺杆２，２を備える。手摺杆２の後端部を車体10の後部に立設された押手部材８に左右及び／又は上下に揺動可能に付設している。かつ、手摺杆２の前端に有する係止部７をハンドルカバー体１の係止受部６に係脱自在に係止するように構成したものである。【選択図】  図１
2006230796.tif 000002
【特許請求の範囲】
【請求項１】
ハンドル（３）のステアリング環体（４）に着脱自在に被装されるハンドルカバー体（１）を備え、かつ、該ハンドルカバー体（１）の左右両端部に係止受部（６）を有する突部（５)(５）を具備し、さらに、車体（10）の座部（11）よりも上方位置に左右転落防止用の手摺杆（２)(２）を備え、該手摺杆（２）の後端部を上記車体（10）の後部に立設された押手部材（８）に左右及び／又は上下に揺動可能に付設し、かつ、手摺杆（２）の前端に有する係止部（７）を上記ハンドルカバー体（１）の上記係止受部（６）に係脱自在に係止するように構成したことを特徴とする乗用玩具。
【請求項２】
ハンドル（３）のステアリング環体（４）に着脱自在に被装されるハンドルカバー体（１）を備え、かつ、該ハンドルカバー体（１）の左右両端部に係止受部（６）を有する突部（５)(５）を具備し、さらに、車体（10）の座部（11）よりも上方位置に左右転落防止用の手摺杆（２)(２）を水平にかつ互いに平行に配設し、上記車体（10）の後部に左右２本の支柱（９)(９）と該支柱（９)(９）の上端に橋絡状に付設された持ち手部（12）とを有する門型の押手部材（８）が立設され、上記手摺杆（２）の後端部を上記支柱（９)(９）に左右及び／又は上下に揺動可能に付設し、かつ、手摺杆（２）の前端に有する係止部（７）を上記ハンドルカバー体（１）の上記係止受部（６）に係脱自在に係止するように構成したことを特徴とする乗用玩具。
【請求項３】
ハンドルカバー体（１）の左右両端部の下面に車体（10）の上面に当接する補強用支持部材（13)(13）を垂設した請求項１又は２記載の乗用玩具。
【請求項４】
押手部材（８）の支柱（９)(９）に持ち手部（12）を上下動可能に付設し、かつ、上記持ち手部（12）を最上位置と最下位置で保持する位置保持具（14）を持ち手部（12）の下方の上記支柱（９)(９）に付設し、さらに、上記支柱（９)(９）は上記持ち手部（12）が降下した場合に最上位置と最下位置の間の中間位置にて持ち手部（12）を一旦停止させる安全ストッパ（15）を有する請求項２又は３記載の乗用玩具。
【発明の詳細な説明】
【技術分野】
【０００１】
本発明は、乗用玩具に関する。
【背景技術】
【０００２】
従来、（生後10カ月〜１歳半ぐらいの）乳幼児が乗って遊ぶ乗用玩具があり、乳幼児が自ら両足で地面を蹴って走行させるものがあった（特許文献１参照）。
また、乳幼児又は保護者が車体を押すための押手部材を、車体の後部に立設したものがあった。
【特許文献１】特開２００２−３５４３５号公報
【発明の開示】
【発明が解決しようとする課題】
【０００３】
しかし、従来の乗用玩具では、車体に搭乗し座部に座っている乳幼児がハンドル等から手を離すと座部から転落する危険があり、安全に走行させることができなかった。
そこで、本発明は、搭乗した乳幼児が車体から転落するのを防止する乗用玩具を提供することを目的とする。
【課題を解決するための手段】
【０００４】
上記目的を達成するために、本発明に係る車の乗用玩具は、ハンドルのステアリング環体に着脱自在に被装されるハンドルカバー体を備え、かつ、該ハンドルカバー体の左右両端部に係止受部を有する突部を具備し、さらに、車体の座部よりも上方位置に左右転落防止用の手摺杆を備え、該手摺杆の後端部を上記車体の後部に立設された押手部材に左右及び／又は上下に揺動可能に付設し、かつ、手摺杆の前端に有する係止部を上記ハンドルカバー体の上記係止受部に係脱自在に係止するように構成したものである。
【０００５】
また、ハンドルのステアリング環体に着脱自在に被装されるハンドルカバー体を備え、かつ、該ハンドルカバー体の左右両端部に係止受部を有する突部を具備し、さらに、車体の座部よりも上方位置に左右転落防止用の手摺杆を水平にかつ互いに平行に配設し、上記車体の後部に左右２本の支柱と該支柱の上端に橋絡状に付設された持ち手部とを有する門型の押手部材が立設され、上記手摺杆の後端部を上記支柱に左右及び／又は上下に揺動可能に付設し、かつ、手摺杆の前端に有する係止部を上記ハンドルカバー体の上記係止受部に係脱自在に係止するように構成したものである。
【０００６】
また、ハンドルカバー体の左右両端部の下面に車体の上面に当接する補強用支持部材を垂設したものである。
【０００７】
また、押手部材の支柱に持ち手部を上下動可能に付設し、かつ、上記持ち手部を最上位置と最下位置で保持する位置保持具を持ち手部の下方の上記支柱に付設し、さらに、上記支柱は上記持ち手部が降下した場合に最上位置と最下位置の間の中間位置にて持ち手部を一旦停止させる安全ストッパを有するものである。
【発明の効果】
【０００８】
本発明は、次のような著大な効果を奏する。
本発明に係る乗用玩具によれば、搭乗した乳幼児が車体から転落することがなく、安全に走行させることができる。
また、手摺杆の後端部が押手部材に左右及び／又は上下に揺動可能に付設されているので、乳幼児を容易に車体に乗り降りさせることができる。即ち、乳幼児が車体に乗り降りする際に手摺杆が邪魔にならない。
さらに、ハンドルにハンドルカバー体を被装するので、ハンドルを補強することができる。
【発明を実施するための最良の形態】
【０００９】
以下、実施の形態を示す図面に基づき本発明を詳説する。
図１及び図２に於て、車体10には地面Ｇを転動する２個の前輪16ａ，16ａと２個の後輪16ｂ，16ｂとが回転自在に取り付けられ、車体10の前部には前輪16ａ，16ａを操作するハンドル３が取り付けられている。
ハンドル３はステアリング環体４を有し、ステアリング環体４にはハンドルカバー体１が上方から着脱自在に被装されている。ハンドルカバー体１の左右両端部には係止受部６を有する突部５，５を備えている。
【００１０】
また、車体10は座部11を有し、座部11よりも上方位置には、座部11に座った乳幼児が左右へ転落するのを防止するための手摺杆２，２を具備している。車体10の後部には押手部材８が立設され、手摺杆２の後端部は押手部材８に左右及び上下に揺動可能に付設されている。さらに、手摺杆２の前端には係止部７を有し、係止部７はハンドルカバー体１の係止受部６に着脱自在に係止されている。また、手摺杆２は、水平にかつ互いに平行に配設されている。
図２に於て、手摺杆２，２の中間部は側外方に突状に形成されている。言い換えれば、手摺杆２，２の中間部の互いの間隔寸法は、前端部及び後端部の互いの間隔寸法より大きくなるように設定されている。
【００１１】
図５及び図６に於て、ハンドルカバー体１は、中心に円形の孔部20が形成された環状のカバー本体17を有し、カバー本体17の左右両端には略扇形の突部５，５が一体に設けられている。また、ハンドルカバー体１の上面には倒立Ｕ字状の握り部21が取り付けられ（図７参照）、握り部21の両端は突部５，５の上面に取着されている。なお、ハンドル３の上端部にはクラクション部48を有し、ハンドルカバー体１がハンドル３に装着された状態で、クラクション部48は円形の孔部20から上方に突出状となっている（図１及び図２参照）。
【００１２】
図６に示すように、ハンドルカバー体１（カバー本体17と突部５，５）の下面側には、カバー体１の縁（輪郭線）に沿って外周壁18が形成され、カバー本体17の下面側には内周壁19が円周状に形成されている。ハンドル３のステアリング環体４は、この内周壁19と外周壁18との間に嵌め込まれている。また、内周壁19には、ハンドル３の軸部22とステアリング環体４とを繋ぐ複数本のスポーク23が嵌められる切欠部24が形成されている。さらにカバー本体17の下面には、嵌め込まれたステアリング環体４が脱落しないように（ハンドル３からハンドルカバー体１が外れないように）、２個の止め具25，25が水平面状に揺動可能に付設されている。この２個の止め具25，25は、内周壁19より内側に、かつ、互いに180 °対称位置に配設されている。また、ハンドルカバー体１の左右両端部の突部５，５の下面には車体10の上面に当接する補強用支持部材13，13が垂設されている。この支持部材13は倒立略三角形状に形成されている（図１又は図３参照）。
【００１３】
図３及び図４に於て、ハンドルカバー体１の突部５の上面には、平面視矩形の凹窪状の係止受部６が形成されている（図５参照）。また、手摺杆２の前端は下方に開口した中空状に成形されており、手摺杆２の前端の係止部７は、下方へ突出状の嵌込部26と、手摺杆２の前端部に内装される係止手段27と、を有している。さらに、係止手段27は、嵌込部26の外側面に形成される開口部28から側外方へ出没自在の爪部29と、爪部29の上方に連設されると共に爪部29を出没可能に操作する操作部30と、操作部30を側外方へ弾発付勢する弾発部材31と、から成っている。また、手摺杆２の嵌込部26の上方には貫通孔32が形成され、操作部30の上端部に突設された突起部33は、貫通孔32から側外方へ突出している。つまり、手摺杆２の嵌込部26が係止受部６に嵌め込まれた状態───係止状態───であっても、指で操作部30の突起部33を内方へ押し込むことができるようになっている。
また、係止受部６の外側の壁面部には、突出した爪部29が挿入される係止孔部34が形成されている（図４・図５・図６参照）。
【００１４】
図７に於て、押手部材８は、鉛直状の支柱９を左右２本有し、その２本の支柱９，９の上端には持ち手部12が橋絡状に付設されている。そして、各手摺杆２，２の後端部は、揺動手段35，35を介して支柱９，９に取り付けられている。揺動手段35は、円筒部36と取着部37とから成るＴ字状の部材であり、円筒部36は支柱９を軸心として回転可能に外嵌されている。そして、取着部37の先端には、手摺杆２の後端部が取付部材38にて上下揺動可能に付設されている（図１参照）。また、図７に示すように、手摺杆２の係止部７がハンドルカバー体１の係止受部６に係止された状態───係止状態───では、取着部37は側外方を向くように配設され、手摺杆２は支柱９より外側に配置されている。
【００１５】
図７及び図８に於て、支柱９は、金属製の大径のパイプ体から成る固定杆39と、金属製の小径のパイプ体から成るスライド杆40と、を有している。固定杆39は車体10の後部に着脱自在に立設され、スライド杆40は固定杆39内にスライド自在に挿入されている。つまり、支柱９は、上下に延伸自在となっており、スライド杆40の上端に付設された持ち手部12は上下動可能に構成されている。そして、持ち手部12を最上位置と最下位置で保持する位置保持具14が、持ち手部12の下方の固定杆39に付設され、位置保持具14の左右両端部は、固定杆39の上端に付設されている。なお、図７は持ち手部12が最下位置にある状態を示し、図８（ａ）は持ち手部12が最上位置にある状態を示す。
さらに、図８（ｂ）に示すように、一方の支柱９は、持ち手部12が降下した場合に最上位置と最下位置の間の中間位置にて持ち手部12を一旦停止させる安全ストッパ15を有している。図９に示すように、スライド杆40の側面には、安全ストッパ15がスライド杆40内から出没自在となるように突出孔41が形成されている。
【００１６】
スライド杆40の側面には、持ち手部12を最上位置と最下位置に固定するために、上下２箇所に係止用切欠42，42が形成されている。位置保持具14は、この係止用切欠42と係合するストッパ機構43と、ストッパ機構43と係止用切欠42との係合を解除する解除部44と、を備えている。さらに、位置保持具14は、持ち手部12が最上位置又は最下位置にある場合に、解除部44にてストッパ機構43と係止用切欠42との係合を解除できないようにするロック部45を有している（図８参照）。なお、安全ストッパ15は、上方の係止用切欠42ａと下方の係止用切欠42ｂの間に設けられている。
図７に於て、揺動手段35の上下には、揺動手段35を所定位置（高さ）に保持するための短管46ａ，46ｂが固定杆39に外嵌されている。
【００１７】
図１と図２示すように、車体10の下面には、座部11に座った乳幼児が足を載せるための左右一対の足載せ台47，47が付設されている。足載せ台47，47は、その前端部を軸心に水平面内で揺動可能に取り付けられ、車体10の外方内方に突出収納自在となっている。
【００１８】
本発明の乗用玩具は設計変更自在であり、手摺杆２の後端部が取付けられる揺動手段35の円筒部36を固定杆39に動かないように固着し、かつ、手摺杆２の後端部に球状のボールジョイント部を付設し、揺動手段35の取着部37がそのボールジョイント部を揺動可能に保持する球面受け座を有するようにしてもよい（図示省略）。
また、手摺杆２内の弾発部材31はコイルバネだけでなく、板バネであってもよい。
さらに、両方のスライド杆40，40に安全ストッパ15を備えてもよく、ハンドル３にハンドルカバー体１を装着した場合に、ハンドル３が回転しないようにするのも自由である。
【００１９】
上述した本発明である乗用玩具の使用方法（作用）について説明する。
図１と図２に於て、まず、乳幼児を座部11に座らせ、ハンドル３にハンドルカバー体１を被せて装着し、ハンドルカバー体１の下面の止め具25，25を揺動させて、ハンドル３からハンドルカバー体１が外れないようにする。次に、手摺杆２，２を上方から揺動させて、手摺杆２の嵌込部26をハンドルカバー体１の係止受部６へ嵌め込む。そして、図４に示すように爪部29が開口部28から突出し係止孔部34内へ挿入される。この状態で、手摺杆２を上方へ動かす力が作用しても爪部29が係止孔部34の上縁部に当接して引っ掛かるので、手摺杆２はハンドルカバー体１から外れない。そして、乳幼児は足で地面Ｇを蹴って車体10を走行させる。
【００２０】
さらに、乳幼児が乗った乗用玩具を保護者等が押して走行させる場合は、まず、図２に示すように、足載せ台47，47を車体10の外方に揺動して突出させ、乳幼児の足を足載せ台47に載せる。次に、図７に於て、位置保持具14のロック部45をロックしていない状態にし、解除部44を手で押して持ち手部12を最上位置まで引き上げる。図８（ａ）に示すように、持ち手部12を最上位置まで上げると、下方の係止用切欠42ｂにストッパ機構43が係止しスライド杆40を固定する。そして、保護者等が持ち手部12を持って車体10を押して走行させる。
なお、持ち手部12を最上位置にした状態でロック部45をロック状態にしておけば、解除部44に手等が触れても持ち手部12が急に降下したりせず安全である。また、万が一、ロック部45がロック状態でないまま解除部44を押し持ち手部12が急に降下した場合は、図８（ｂ）と図９に示すように、スライド杆40の突出孔41から突出した安全ストッパ15が位置保持具14の上面に当接し、持ち手部12を中間位置にて一旦停止させる。
【００２１】
また、乳幼児を乗用玩具から降ろす場合は、図４に於て、操作部30の突起部33を内方へ押し、爪部29を係止孔部34から抜き出す。そして、突起部33を押したまま手摺杆２を上方へ揺動させて、係止受部６から嵌込部26を外す。ハンドルカバー体１から外れた手摺杆２，２を側外方に揺動させて、乳幼児を車体10（座部11）から降ろす。
【００２２】
さらに、乳幼児が自ら車体10を押して遊ぶ際は、ハンドルカバー体１の係止受部６に手摺杆２，２の係止部７を係止し、図８（ｂ）と図９に於て、安全ストッパ15をスライド杆40の内方へ押したまま持ち手部12を最下位置まで押し下げる。そして、乳幼児が持ち手部12を持って車体10を押して走行させる。なお、持ち手部12を最下位置にした状態でロック部45をロック状態にしておけば、解除部44に手等が触れても持ち手部12が急に上がったりせず安全である。
【００２３】
以上のように、本発明の乗用玩具は、ハンドル３のステアリング環体４に着脱自在に被装されるハンドルカバー体１を備え、かつ、ハンドルカバー体１の左右両端部に係止受部６を有する突部５，５を具備し、さらに、車体10の座部11よりも上方位置に左右転落防止用の手摺杆２，２を備え、手摺杆２の後端部を車体10の後部に立設された押手部材８に左右及び／又は上下に揺動可能に付設し、かつ、手摺杆２の前端に有する係止部７をハンドルカバー体１の係止受部６に係脱自在に係止するように構成したので、搭乗した乳幼児が車体10から転落することがなく、安全に走行させることができる。
また、手摺杆２の後端部が押手部材８に左右及び／又は上下に揺動可能に付設されているので、乳幼児を容易に車体10に乗り降りさせることができる。即ち、乳幼児が車体10に乗り降りする際に手摺杆２が邪魔にならない。
さらに、ハンドル３にハンドルカバー体１を被装するので、ハンドル３を補強することができる。
【００２４】
また、ハンドル３のステアリング環体４に着脱自在に被装されるハンドルカバー体１を備え、かつ、ハンドルカバー体１の左右両端部に係止受部６を有する突部５，５を具備し、さらに、車体10の座部11よりも上方位置に左右転落防止用の手摺杆２，２を水平にかつ互いに平行に配設し、車体10の後部に左右２本の支柱９，９と支柱９，９の上端に橋絡状に付設された持ち手部12とを有する門型の押手部材８が立設され、手摺杆２の後端部を支柱９，９に左右及び／又は上下に揺動可能に付設し、かつ、手摺杆２の前端に有する係止部７をハンドルカバー体１の係止受部６に係脱自在に係止するように構成したので、搭乗した乳幼児が車体10から転落することがなく、安全に走行させることができる。
また、手摺杆２の後端部が押手部材８に左右及び／又は上下に揺動可能に付設されているので、乳幼児を容易に車体10に乗り降りさせることができる。即ち、乳幼児が車体10に乗り降りする際に手摺杆２が邪魔にならない。
さらに、ハンドル３にハンドルカバー体１を被装するので、ハンドル３を補強することができる。
また、押手部材８は門型に形成されているので、手摺杆２，２を互いに平行に取り付け易いと共に、手摺杆２を上方に揺動して折り畳むことも容易に行うことができる。
【００２５】
また、ハンドルカバー体１の左右両端部の下面に車体10の上面に当接する補強用支持部材13，13を垂設したので、ハンドル３にハンドルカバー体１を安定して取り付けることができる。さらに、手摺杆２をハンドルカバー体１に取り付けた状態で、手摺杆２に下方へ作用する力が働いても、手摺杆２を安定して保持することができる。
【００２６】
また、押手部材８の支柱９，９に持ち手部12を上下動可能に付設し、かつ、持ち手部12を最上位置と最下位置で保持する位置保持具14を持ち手部12の下方の支柱９，９に付設し、さらに、支柱９，９は持ち手部12が降下した場合に最上位置と最下位置の間の中間位置にて持ち手部12を一旦停止させる安全ストッパ15を有するので、乳幼児が持ち手部12と位置保持具14との間で頭（首）を挟まれる虞れがなく安全である。
【図面の簡単な説明】
【００２７】
【図１】本発明の実施の形態を示す側面図である。
【図２】平面図である。
【図３】要部側面図である。
【図４】要部拡大断面正面図である。
【図５】要部平面図である。
【図６】要部底面図である。
【図７】背面図である。
【図８】押手部材の動きを示す説明図であって、（ａ）は最上位置を示す要部正面図      、（ｂ）は中間位置を示す要部正面図である。
【図９】要部拡大断面側面図である。
【符号の説明】
【００２８】
１  ハンドルカバー体
２  手摺杆
３  ハンドル
４  ステアリング環体
５  突部
６  係止受部
７  係止部
８  押手部材
９  支柱
10  車体
11  座部
12  持ち手部
13  支持部材
14  位置保持具
15  安全ストッパ
【図１】
2006230796.tif 000003
【図２】
2006230796.tif 000004
【図３】
2006230796.tif 000005
【図４】
2006230796.tif 000006
【図５】
2006230796.tif 000007
【図６】
2006230796.tif 000008
【図７】
2006230796.tif 000009
【図８】
2006230796.tif 000010
【図９】
2006230796.tif 000011